(57)【特許請求の範囲】
【請求項１】
３つ以上のノードが現用伝送路および予備伝送路で２重のリング状に接続された通信ネットワークであって、
受信側の現用伝送路からの高速信号を複数の低速信号に分離し、複数の低速信号を多重して高速信号として送信側の現用伝送路へ送信しており、前記受信側の現用伝送路の障害を検出したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることより前記送信側の現用伝送路への高速信号の送信を止めるスイッチ部を有する第１のノードと、
受信側の現用伝送路からの高速信号を複数の低速信号に分離し、複数の低速信号を多重して高速信号として送信側の現用伝送路へ送信しており、前記受信側の現用伝送路から受信される高速信号が停止したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることにより前記送信側の現用伝送路への高速信号の送信を止めるスイッチ部を有する第２のノードを有する通信ネットワーク。
【請求項２】
前記ノードが前記第１のノードおよび前記第２のノードの機能を併せ持ち、いずれかの現用伝送路で障害が発生すると、該障害を検出したノードが前記第１のノードとして動作し、他の全てのノードが前記第２のノードとして動作することにより、全ての前記ノード間の通信が前記予備伝送路で行われるようになる、請求項１記載の通信ネットワーク。
【請求項３】
３つ以上のノードが、前記ノード間の各区間が信号の流れる方向の異なる現用伝送路および予備伝送路で接続された、２重のリング状の通信ネットワークであって、
受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、受信側の予備伝送路からの高速信号を複数の低速信号に分離し、複数の低速信号を多重して高速信号として送信側の現用伝送路へ送信している第２の多重分離部と、前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返すスイッチ部を有する第１のノードと、
受信側の現用伝送路からの高速信号を複数の低速信号に分離し、複数の低速信号を多重して高速信号として送信側の予備伝送路へ送信している第１の多重分離部と、受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、前記第２の多重分離部からの低速信号が止まると、前記第１の多重分離部からの低速信号の中の自身宛以外の信号を前記第１の多重分離部へ低速信号として折り返すスイッチ部を有する第２のノードを有する通信ネットワーク。
【請求項４】
前記ノードが前記第１のノードおよび前記第２のノードの機能を併せ持ち、いずれかの現用伝送路で障害が発生すると、該障害を検出したノードが前記第１のノードとして動作し、前記障害の発生した現用伝送路に信号を送信していたノードが前記第２のノードとして動作することにより、前記障害の発生した区間以外の現用伝送路および予備伝送路で通信が行われるようになる、請求項３記載の通信ネットワーク。
【請求項５】
３つ以上のノードが現用伝送路および予備伝送路で２重のリング状に接続され、波長多重された信号を送受信する通信ネットワークであって、
受信側の現用伝送路からの高速信号を複数の低速信号に分離し、複数の低速信号を多重して高速信号として送信側の現用伝送路へ送信しており、前記受信側の現用伝送路の障害を検出したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることより前記送信側の現用伝送路への高速信号の送信を止めるスイッチ部との各々を波長毎に複数有する第１のノードと、
受信側の現用伝送路からの高速信号を複数の低速信号に分離し、複数の低速信号を多重して高速信号として送信側の現用伝送路へ送信しており、前記受信側の現用伝送路から受信される高速信号が停止したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることにより前記送信側の現用伝送路への高速信号の送信を止めるスイッチ部との各々を波長毎に複数有する第２のノードを有する通信ネットワーク。
【請求項６】
前記ノードが前記第１のノードおよび前記第２のノードの機能を併せ持ち、いずれかの現用伝送路で少なくとも１つの波長の障害が発生すると、該障害を検出したノードが前記第１のノードとして動作し、他の全てのノードが前記第２のノードとして動作することにより、全ての前記ノード間の前記波長の通信が前記予備伝送路で行われるようになる、請求項５記載の通信ネットワーク。
【請求項７】
３つ以上のノードが、前記ノード間の各区間が信号の流れる方向の異なる現用伝送路および予備伝送路で接続され、波長多重された信号を送受信する、２重のリング状の通信ネットワークであって、
受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、受信側の予備伝送路からの高速信号を複数の低速信号に分離し、複数の低速信号を多重して高速信号として送信側の現用伝送路へ送信している第２の多重分離部と、前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返すスイッチ部との各々を波長毎に複数有する第１のノードと、
受信側の現用伝送路からの高速信号を複数の低速信号に分離し、複数の低速信号を多重して高速信号として送信側の予備伝送路へ送信している第１の多重分離部と、受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、前記第２の多重分離部からの低速信号が止まると、前記第１の多重分離部からの低速信号の中の自身宛以外の信号を前記第１の多重分離部へ低速信号として折り返すスイッチ部との各々を波長毎に複数有する第２のノードを有する通信ネットワーク。
【請求項８】
前記ノードが前記第１のノードおよび前記第２のノードの機能を併せ持ち、いずれかの現用伝送路で少なくとも１つの波長の障害が発生すると、該障害を検出したノードが前記第１のノードとして動作し、前記障害の発生した現用伝送路に信号を送信していたノードが前記第２のノードとして動作することにより、前記障害の発生した区間以外の現用伝送路および予備伝送路で前記波長の通信が行われるようになる、請求項７記載の通信ネットワーク。
【請求項９】
現用および予備の伝送路で２重のリング状に接続されて通信ネットワークを構成する通信装置であって、
受信側の現用伝送路からの高速信号を複数の低速信号に分離し、複数の低速信号を多重して高速信号として送信側の現用伝送路へ送信しており、前記受信側の現用伝送路の障害を検出したとき、および前記受信側の現用伝送路から受信される高速信号が停止したとき、前記受信側の現用伝送路の高速信号を分離した各低速信号を止める現用多重分離部と、
受信側の予備伝送路からの高速信号を複数の低速信号に分離し、複数の低速信号を多重して送信側の予備伝送路へ送信する予備多重分離部と、
前記現用多重分離部からの低速信号が止まると、前記予備多重分離部からの低速信号の中から自身宛の信号を取り込み、前記送信側の現用伝送路に多重される低速信号の前記現用多重分離部への送信を止めるスイッチ部を有する通信装置。
【請求項１０】
前記現用多重分離部、前記予備多重分離部および前記スイッチ部を波長毎に複数有し、波長多重した信号を送受信する、請求項９記載の通信装置。
【請求項１１】
信号の流れる方向の異なる現用および予備の伝送路で２重のリング状に接続されて通信ネットワークを構成する通信装置であって、
受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、
受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、
前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返し、前記第２の多重分離部からの低速信号が止まると、前記第１の多重分離部からの低速信号の中の自身宛以外の信号を前記第１の多重分離部へ低速信号として折り返すスイッチ部を有する通信装置。
【請求項１２】
前記第１の多重分離部、前記第２の多重分離部および前記スイッチ部を波長毎に複数有し、波長多重した信号を送受信する、請求項１１記載の通信装置。
【発明の詳細な説明】
【０００１】
【発明の属する技術分野】
本発明は、高速で大容量の光ネットワークおよびそれを構成するノード装置に関し、特に、伝送路に冗長機能を有するネットワークと、伝送路から信号を分離し、また伝送路へ信号を挿入するノード装置に関する。
【０００２】
【従来の技術】
インターネットの普及に伴い、音声データではなく、パケットデータを効率良く収容し、伝送速度が速く、伝送容量の大きく、かつ信頼性の高い光ネットワークを低コストで実現することが望まれている。
【０００３】
信頼性の高い高速大容量ネットワークとして光リングネットワークが知られている。光リングネットワークは、複数のノード装置間を光ファイバで接続したリング状のネットワークである。光リングネットワークを構成するノード装置は、伝送路へパケットデータ等の信号を挿入し、また、伝送路から信号を分離する機能を有するＡｄｄ／Ｄｒｏｐ多重化装置（以下、ＡＤＭ装置と称す）である。
【０００４】
光リングネットワークは、障害に対する信頼性を確保するために、光ファイバ断、光送信器故障、光受信器故障のような各種の障害が発生したとき、伝送路のループバックや経路切り替えにより障害箇所を切り離して通信を復旧させる機能（以下、プロテクション機能と称す）を有している。
【０００５】
光リングネットワークの物理レイヤの一例としてＳＯＮＥＴ／ＳＤＨフレームを用いたものがある。ＳＯＮＥＴ／ＳＤＨでは、伝送路障害に対するプロテクション機能が規定されているので、伝送路障害時には、その機能により通信を復旧させることができる。
【０００６】
具体的には、送信側のＡＤＭ装置から、ＳＯＮＥＴ／ＳＤＨフレームのオーバーヘッドの特定フィールドにネットワーク管理用の情報（伝送路の障害や品質、自動切り替え制御（ＡＰＳ）等の情報）を付加して送信し、受信側のＡＤＭ装置のＳＯＮＥＴ／ＳＤＨ終端回路でオーバーヘッドを解析して伝送路の障害や品質劣化を検出し、自動的に経路を切り替える。
【０００７】
ＳＯＮＥＴ／ＳＤＨのＡＤＭ装置の多くは、光信号を電気信号に変換した後の電気信号部分で切り替えを行っている。しかし、光スイッチを用いて光信号部分で経路切り替えを行うＡＤＭ装置もある。
【０００８】
光リングネットワークの物理レイヤの他の例として、ＩＥＥＥ（Ｔｈｅ  Ｉｎｓｔｉｔｕｄｅ  ａｎｄ  Ｅｌｅｃｔｒｏｎｉｃｓ  Ｅｎｇｉｎｅｅｒｓ）８０２．３ａｅで標準化が進められている１０Ｇｂｐｓ  Ｅｔｈｅｒｎｅｔ  ＷＡＮ−ＰＨＹがある。これは、ＳＯＮＥＴ／ＳＤＨフレームをベースとし、そのオーバヘッドの最低限の機能のみを用いることにより、低コストのネットワークを実現しようとするものである。そのため、１０Ｇｂｐｓ  Ｅｔｈｅｒｎｅｔ  ＷＡＮ  ＰＨＹは、ＳＯＮＥＴ／ＳＤＨとして規定された経路切り替えの機能を含んでおらず、伝送路の障害に対する経路切り替えについては上位レイヤの機能に依存している。
【０００９】
【発明が解決しようとする課題】
ＳＯＮＥＴ／ＳＤＨのネットワークでは、ＳＯＮＥＴ／ＳＤＨフレームのオーバーヘッドを用いてＡＤＭ装置間で自動切換え制御を行うので、伝送路障害の発生から短時間で経路を切り替えて通信を復旧させることができる。
【００１０】
しかし、オーバヘッドにネットワーク管理用の情報を付加して送信し、また、オーバーヘッドを解析して伝送路の障害や品質劣化を検出し、自動的に経路を切り替える機能を有するＳＯＮＥＴ／ＳＤＨのＡＤＭ装置は、それらの機能を実現するために高コストとなっている。
【００１１】
また、経路切り替えに光スイッチが用いられる場合には、光信号をループバックさせるため、正常の運用時より光信号が伝送される距離が長くなる。伝送距離が長くなれば、光ファイバでの分散や損失によるＳ／Ｎ比の劣化が大きくなる。そのため、電気光変換器（以下、Ｅ／Ｏと称す）には高出力および高分散耐力が要求され、光電気変換器（以下、Ｏ／Ｅと称す）には高受信感度が要求されるので、ＡＤＭ装置のコストはさらに高くなる。
【００１２】
一方、１０Ｇｂｐｓ  Ｅｔｈｅｒｎｅｔ  ＷＡＮ−ＰＨＹを用いたＡＤＭ装置のように、オーバヘッド処理機能を削減した装置はＳＯＮＥＴ／ＳＤＨのＡＤＭ装置に比べて低コストとなる。このような装置は、伝送路の障害に対する経路切り替えを上位レイヤの機能に依存している。例えば、上位レイヤに位置するＬＡＮ間接続機器の経路選択機能により結果として障害のある経路が使われなくなる。
【００１３】
しかし、上位レイヤの機能による経路選択機能は、伝送路の障害を直接検出して経路の切り替えを行うものでないので、障害が発生してからその経路が使われなくなるまでに時間がかかり、正常に通信できない状態の時間が長くなる。
【００１４】
本発明の目的は、低コストで、障害の発生から通信の復旧までにかかる時間が短いネットワークおよびノード装置を提供することである。
【００１５】
【課題を解決するための手段】
上記目的を達成するために、本発明の通信ネットワークは、３つ以上のノードが現用伝送路および予備伝送路で２重のリング状に接続された通信ネットワークであって、
受信側の現用伝送路からの高速信号を複数の低速信号に分離し、複数の低速信号を多重して高速信号として送信側の現用伝送路へ送信しており、前記受信側の現用伝送路の障害を検出したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることより前記送信側の現用伝送路への高速信号の送信を止めるスイッチ部を有する第１のノードと、
受信側の現用伝送路からの高速信号を複数の低速信号に分離し、複数の低速信号を多重して高速信号として送信側の現用伝送路へ送信しており、前記受信側の現用伝送路から受信される高速信号が停止したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることにより前記送信側の現用伝送路への高速信号の送信を止めるスイッチ部を有する第２のノードを有している。
【００１６】
したがって、第１のノードが、伝送路の障害を検出すると、自身の内部の経路変更を行うとともに、第２のノードに対する信号の送信を停止して第２のノードに経路変更をさせる。
【００１７】
また、前記ノードが前記第１のノードおよび前記第２のノードの機能を併せ持ち、いずれかの現用伝送路で障害が発生すると、該障害を検出したノードが前記第１のノードとして動作し、他の全てのノードが前記第２のノードとして動作することにより、全ての前記ノード間の通信が前記予備伝送路で行われるようになることが好ましい。
【００１８】
本発明の他の通信ネットワークは、３つ以上のノードが、前記ノード間の各区間が信号の流れる方向の異なる現用伝送路および予備伝送路で接続された、２重のリング状の通信ネットワークであって、
受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、受信側の予備伝送路からの高速信号を複数の低速信号に分離し、複数の低速信号を多重して高速信号として送信側の現用伝送路へ送信している第２の多重分離部と、前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返すスイッチ部を有する第１のノードと、
受信側の現用伝送路からの高速信号を複数の低速信号に分離し、複数の低速信号を多重して高速信号として送信側の予備伝送路へ送信している第１の多重分離部と、受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、前記第２の多重分離部からの低速信号が止まると、前記第１の多重分離部からの低速信号の中の自身宛以外の信号を前記第１の多重分離部へ低速信号として折り返すスイッチ部を有する第２のノードを有している。
【００１９】
また、前記ノードが前記第１のノードおよび前記第２のノードの機能を併せ持ち、いずれかの現用伝送路で障害が発生すると、該障害を検出したノードが前記第１のノードとして動作し、前記障害の発生した現用伝送路に信号を送信していたノードが前記第２のノードとして動作することにより、前記障害の発生した区間以外の現用伝送路および予備伝送路で通信が行われるようになることが好ましい。
【００２０】
本発明のさらに他の通信ネットワークは、３つ以上のノードが現用伝送路および予備伝送路で２重のリング状に接続され、波長多重された信号を送受信する通信ネットワークであって、
受信側の現用伝送路からの高速信号を複数の低速信号に分離し、複数の低速信号を多重して高速信号として送信側の現用伝送路へ送信しており、前記受信側の現用伝送路の障害を検出したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることより前記送信側の現用伝送路への高速信号の送信を止めるスイッチ部との各々を波長毎に複数有する第１のノードと、
受信側の現用伝送路からの高速信号を複数の低速信号に分離し、複数の低速信号を多重して高速信号として送信側の現用伝送路へ送信しており、前記受信側の現用伝送路から受信される高速信号が停止したとき、前記受信側の現用伝送路の高速信号を分離した各低速信号を止める現用多重分離部と、受信側の予備伝送路からの高速信号を複数の低速信号に分離し、複数の低速信号を多重して送信側の予備伝送路へ送信する予備多重分離部と、前記現用多重分離部からの低速信号が止まると、前記予備多重分離部からの低速信号の中から自身宛の信号を取り込み、前記送信側の現用伝送路に多重される低速信号の前記現用多重分離部への送信を止めることにより前記送信側の現用伝送路への高速信号の送信を止めるスイッチ部との各々を波長毎に複数有する第２のノードを有している。
【００２１】
したがって、第１のノードが、伝送路の特定波長の障害を検出すると、その波長について自身の内部の経路切り替えを行うとともに、第２のノードに対する信号の送信を停止して経路変更をさせる。
【００２２】
また、前記ノードが前記第１のノードおよび前記第２のノードの機能を併せ持ち、いずれかの現用伝送路で少なくとも１つの波長の障害が発生すると、該障害を検出したノードが前記第１のノードとして動作し、他の全てのノードが前記第２のノードとして動作することにより、全ての前記ノード間の前記波長の通信が前記予備伝送路で行われるようになることが好ましい。
【００２３】
本発明のさらに他の通信ネットワークは、３つ以上のノードが、前記ノード間の各区間が信号の流れる方向の異なる現用伝送路および予備伝送路で接続され、波長多重された信号を送受信する、２重のリング状の通信ネットワークであって、
受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、受信側の予備伝送路からの高速信号を複数の低速信号に分離し、複数の低速信号を多重して高速信号として送信側の現用伝送路へ送信している第２の多重分離部と、前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返すスイッチ部との各々を波長毎に複数有する第１のノードと、
受信側の現用伝送路からの高速信号を複数の低速信号に分離し、複数の低速信号を多重して高速信号として送信側の予備伝送路へ送信している第１の多重分離部と、受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、前記第２の多重分離部からの低速信号が止まると、前記第１の多重分離部からの低速信号の中の自身宛以外の信号を前記第１の多重分離部へ低速信号として折り返すスイッチ部との各々を波長毎に複数有する第２のノードを有している。
【００２４】
また、前記ノードが前記第１のノードおよび前記第２のノードの機能を併せ持ち、いずれかの現用伝送路で少なくとも１つの波長の障害が発生すると、該障害を検出したノードが前記第１のノードとして動作し、前記障害の発生した現用伝送路に信号を送信していたノードが前記第２のノードとして動作することにより、前記障害の発生した区間以外の現用伝送路および予備伝送路で前記波長の通信が行われるようになることが好ましい。
【００２５】
本発明の通信装置は、現用および予備の伝送路で２重のリング状に接続されて通信ネットワークを構成する通信装置であって、
受信側の現用伝送路からの高速信号を複数の低速信号に分離し、複数の低速信号を多重して高速信号として送信側の現用伝送路へ送信しており、前記受信側の現用伝送路の障害を検出したとき、および前記受信側の現用伝送路から受信される高速信号が停止したとき、前記受信側の現用伝送路の高速信号を分離した各低速信号を止める現用多重分離部と、
受信側の予備伝送路からの高速信号を複数の低速信号に分離し、複数の低速信号を多重して送信側の予備伝送路へ送信する予備多重分離部と、
前記現用多重分離部からの低速信号が止まると、前記予備多重分離部からの低速信号の中から自身宛の信号を取り込み、前記送信側の現用伝送路に多重される低速信号の前記現用多重分離部への送信を止めるスイッチ部を有している。
【００２６】
したがって、現用伝送路の障害が検出されると、障害を検出した現用多重分離部でその伝送路にて伝送されている信号を停止して、スイッチ部に経路を変更させ、また、スイッチ部で現用伝送路に送信する信号を停止して、他の通信装置に経路変更をさせる。
【００２７】
また、前記現用多重分離部、前記予備多重分離部および前記スイッチ部を波長毎に複数有し、波長多重した信号を送受信してもよい。
【００２８】
本発明の他の通信装置は、信号の流れる方向の異なる現用および予備の伝送路で２重のリング状に接続されて通信ネットワークを構成する通信装置であって、受信側の現用伝送路からの高速信号を複数の低速信号に分離し、複数の低速信号を多重して高速信号として送信側の予備伝送路へ送信しており、前記受信側の現用伝送路の障害を検出すると、前記受信側の現用伝送路の高速信号を分離した各低速信号を止める第１の多重分離部と、
受信側の予備伝送路からの高速信号を複数の低速信号に分離し、複数の低速信号を多重して高速信号として送信側の現用伝送路へ送信しており、前記受信側の予備伝送路から受信される高速信号が停止すると、前記受信側の予備伝送路の高速信号を分離した各低速信号を止める第２の多重分離部と、
前記第１の多重分離部からの低速信号が止まると、前記送信側の予備伝送路に多重される低速信号の前記第１の多重分離部への送信を止め、前記第２の多重分離部からの低速信号の中から自身宛の信号を取り込み、自身宛以外の信号を前記第２の多重分離部へ低速信号として折り返し、前記第２の多重分離部からの低速信号が止まると、前記第１の多重分離部からの低速信号の中の自身宛以外の信号を前記第１の多重分離部へ低速信号として折り返すスイッチ部を有している。
【００２９】
したがって、現用伝送路の障害が検出されると、障害を検出した現用多重分離部でその伝送路にて伝送されている信号を停止して、スイッチ部に経路を変更させ、また、スイッチ部で予備伝送路に送信する信号を停止して、他の通信装置に経路変更をさせる。
【００３０】
また、前記第１の多重分離部、前記第２の多重分離部および前記スイッチ部を波長毎に複数有し、波長多重した信号を送受信してもよい。
【００３３】
【発明の実施の形態】
本発明のＡｄｄ／Ｄｒｏｐ多重化装置（以下、ＡＤＭ装置と称す）は、光信号断などの伝送路障害を検出したとき、その伝送路に多重されていたリンクを積極的に切断することにより即座に自身内の経路切り替えを発生させるとともに、経路が他に切り替えられるべき伝送路のリンクを積極的に切断することにより、隣接するＡＤＭ装置内の経路切り替えを発生させる。
【００３４】
（第１の実施形態）
本発明の第１の実施形態について図面を参照して詳細に説明する。
【００３５】
図１は、第１の実施形態の光リングネットワークの構成を示すブロック図である。図１を参照すると、光リングネットワークは、ノード１１０−１，１１０−２，１１０−３，１１０−４および回線２０１ａ，２０１ｂ，２０２ａ，２０２ｂ，２０３ａ，２０３ｂ，２０４ａ，２０４ｂで構成されている。
【００３６】
回線２０１ａ，２０１ｂ，２０２ａ，２０２ｂ，２０３ａ，２０３ｂ，２０４ａ，２０４ｂはノード間を接続し、データを伝送する光ファイバケーブルの回線である。
【００３７】
回線２０１ａはノード１１０−１からノード１１０−２へのデータを伝送し、回線２０１ｂはノード１１０−２からノード１１０−１へのデータを伝送する。回線２０２ａはノード１１０−２からノード１１０−３へのデータを伝送し、回線２０２ｂはノード１１０−３からノード１１０−２へのデータを伝送する。回線２０３ａはノード１１０−３からノード１１０−４へのデータを伝送し、回線２０３ｂはノード１１０−４からノード１１０−３へのデータを伝送する。回線２０４ａはノード１１０−４からノード１１０−１へのデータを伝送し、回線２０４ｂはノード１１０−１からノード１１０−４へのデータを伝送する。
【００３８】
回線２０１ａ，２０２ａ，２０３ａ，２０４ａが現用（Ｗｏｒｋｉｎｇ）であり、回線２０１ｂ，２０２ｂ，２０３ｂ，２０４ｂが予備（Ｐｒｏｔｅｃｔｉｏｎ）である。
【００３９】
ノード１１０−１，１１０−２，１１０−３，１１０−４は、光ネットワークにパケットデータ等の信号を挿入し、また信号を光ネットワークから分離することで相互にデータを送受信するＡＤＭ装置であり、全て同じ構成である。
【００４０】
ノード１１０−１は、多重分離部（ＭＵＸ／ＤＥＭＵＸ）１０ａ，１０ｂおよびスイッチ部１２０−１を有している。
【００４１】
多重分離部１０ａ，１０ｂは、一例として、８：１多重および１：８分離を行う。多重分離部１０ａは、回線２０４ａからの信号を８つの信号に分離し、ポート１１ａの８つのチャネルから送信し、また、ポート１２ａの８つチャネルの信号を多重して回線２０１ａへ送信する。多重分離部１０ｂは、回線２０１ｂからの信号を分離してポート１１ｂの８つのチャネルから送信し、また、ポート１２ｂの８つのチャネルの信号を多重して回線２０４ａへ送信する。
【００４２】
また、多重分離部１０ａは、回線２０４ａの光信号の入力断を検出すると、後段にリンク断を検出させるために、ポート１１ａに対する信号の送出を停止する。多重分離部１０ｂは、回線２０１ｂの光信号の入力断を検出すると、ポート１１ｂに対する信号の送出を停止する。
【００４３】
スイッチ部１２０−１は、上位レイヤの通信装置（不図示）と接続されるＡｄｄポート２２およびＤｒｏｐポート２１を有し、また、多重分離部１０ａとポート１１ａ，１２ａで接続され、多重分離部１０ｂとポート１１ｂ，１２ｂで接続されている。
【００４４】
スイッチ部１２０−１は、２４×２４のスイッチによって構成されているので、任意のポートの任意のチャネルの入力信号を任意のポートの任意のチャネルの出力信号として出力することができるが、通常は現用の回線２０４ａがアクティブなので、ポート１１ａから自身宛の信号（即ち、自身に接続された上位の通信装置に渡すべき信号）をＤｒｏｐポート２１へ出力し、自身宛以外の信号とＡｄｄポート２２からの信号をポート１２ａへ出力する。また、スイッチ部１２０−１は、ポート２０１ｂから入力した自身宛以外の信号とＡｄｄポート２２からの信号をポート１２ｂへ出力する。
【００４５】
スイッチ部１２０−１は、現用の回線２０４ａ，２０１ａがアクティブで、ポート１１ａの自身宛の信号をＤｒｏｐポート２１に出力しているときに、ポート１１ａの信号の入力断を検出すると、ポート１１ｂの自身宛の信号をＤｒｏｐポート２１に出力するようにスイッチを切り替え、また、ポート１２ａへの信号の出力を停止する。スイッチ部１２０−１は、ポート１１ａの信号のリンク断を検出しても同様の切り替え動作を行う。
【００４６】
ポート１１ａ，１１ｂ，１２ａ，１２ｂの信号が光信号であれば、ポート１２ａへ光の送出を停止すればよい。ここで、一例として、回線の信号がＧｂｐｓ  Ｅｔｈｅｒｎｅｔであれば、Ｌｉｎｋ  Ｄｏｗｎを発生させるためにポートへの光信号を停止すればよい。ただし、即座にＬｉｎｋ  Ｄｏｗｎを発生させることができれば、光信号の停止でなく、他の方法であってもよい。
【００４７】
また、ポート１１ａ，１１ｂ，１２ａ，１２ｂは電気信号であってもよく、その場合、フレームの送出を止めるなどして、後段でリンク断を検出できるようにすればよい。
【００４８】
ノード１１０−２は、ノード１１０−２と同じ構成であり、多重分離部１０ｃ，１０ｄおよびスイッチ部１２０−２を有している。
【００４９】
図２は、多重分離部１０ａ，１０ｂ，１０ｃ，１０ｄの構成を示すブロック図である。多重分離部１０ａ，１０ｂ，１０ｃ，１０ｄは全て同じ構成であり、図２では多重分離部１０として示されている。
【００５０】
図２を参照すると、多重分離部１０は、終端部１３、多重部１４、電気光変換部（ＥＯ）１５、電気光変換部（ＯＥ）１６および分離部１７を有している。
【００５１】
終端部１３は各チャネル毎にあり、回線の光信号が分離されて電気に変換された各チャネルの低速の信号を終端し、また、ポート１１からスイッチ部１２０−１を介して接続された上位レイヤの通信装置（不図示）と送受信する信号を終端し、それら信号間のインタフェース変換を行う。
【００５２】
終端部１３は、回線側のリンク断を検出したとき、または光電気変換器１６から光信号の入力断の通知を受けたとき、ポート１１への信号の送出を停止してリンク断を発生させる。
【００５３】
多重部１４は、各チャネルの終端部１３からの信号を多重する。
【００５４】
電気光変換部１５は、多重部１４で多重された信号を電気から光に変換し、回線へ送信する。
【００５５】
光電気変換部１６は、回線からの光信号を電気に変換する。光電気変換部１６は、光信号の断を検出すると、それを終端部１３に通知し、ポート１１への信号の送出を停止させる。
【００５６】
分離部１７は、光電気変換部１６で電気に変換された高速の信号を各チャネル毎の低速の信号に分離する。
【００５７】
この例では、回線はＳＯＮＥＴ／ＳＤＨをベースとするＧｂｐｓ  Ｅｔｈｅｒｎｅｔフレームフォーマットであり、ＳＯＮＥＴ／ＳＤＨフレームのうち同期用のＡ１バイト、Ａ２バイトや、誤り監視用Ｂ１バイト、Ｂ２バイトなど最低限のフィールドのみが使用され、プロテクション機能のＥ１バイト、Ｅ２バイトなどは使用されていない。
【００５８】
図３は、本実施形態のノードの動作を説明するための図である。
【００５９】
図３に示すように、光リングネットワークの回線２０４ａに光パワーロス等の障害が発生し、通信が途絶えたとする。回線２０４ａの障害は多重分離部１０ａで検出され、ノード１１０−１はポート１１ａの信号を停止させる。これにより、ポート１１ａを使っていたリンクにリンク断が発生する。
【００６０】
ポート１１ａの信号が停止すると、それを検出したスイッチ部１２０−１はポート１２ａの信号を停止させる。これにより、ポート１２ａを使っていたリンクが切断される。そして、スイッチ部１２０−１は、Ｄｒｏｐポート２１への接続をポート１１ａからポート１１ｂへ変更する。このポートの変更により、ノード１１０−１の認識として、現用の回線２０４ａ，２０１ａがアクティブの状態から、予備の回線２０４ｂ，２０１ｂがアクティブの状態になる。
【００６１】
ポート１２ａの信号の停止は、多重分離部１０ａを介して回線２０１ａによりノード１１０−２に伝達される。
【００６２】
多重分離部１０ｃでリンク断が検出されるので、ノード１１０−２は、ノード１１０−１と同様に信号を停止させ、またスイッチ部１２０−２を切り替える。これにより、ノード１１０−２の認識として、現用の回線２０１ａ，２０２ａがアクティブの状態から予備の回線が２０１ｂ，２０２ｂがアクティブの状態になる。
【００６３】
このように各ノード間で順々に予備の回線がアクティブの状態になり、最終的には全ての予備の回線がアクティブの状態となって通信が復旧する。
【００６４】
したがって、第１の実施形態のノードは、伝送路の障害を検出すると、障害を検出した箇所でその伝送路にて伝送されているリンクを切断して、スイッチ部に経路を変更させ、また、他のノードに対するリンクを切断して他のノードに経路を変更させるので、各部がそれぞれ単純な動作をすることにより、高速に経路を切り替えることができるので、装置全体から収集した障害情報に基づいて経路を制御する複雑な手段を持つ必要がなく、低コストである。
【００６５】
（第２の実施形態）
本発明の第２の実施形態について図面を参照して詳細に説明する。
【００６６】
図４は、第２の実施形態の光リングネットワークの構成を示すブロック図である。図４を参照すると、光リングネットワークは、ノード２１０−１，２１０−２，２１０−３，２１０−４および回線２０１ａ，２０１ｂ，２０２ａ，２０２ｂ，２０３ａ，２０３ｂ，２０４ａ，２０４ｂで構成されている。
【００６７】
回線２０１ａ，２０１ｂ，２０２ａ，２０２ｂ，２０３ａ，２０３ｂ，２０４ａ，２０４ｂはノード間を接続し、データを伝送する光ファイバケーブルの回線である。
【００６８】
回線２０１ａはノード２１０−１からノード２１０−２へのデータを伝送し、回線２０１ｂはノード２１０−２からノード２１０−１へのデータを伝送する。回線２０２ａはノード２１０−２からノード２１０−３へのデータを伝送し、回線２０２ｂはノード２１０−３からノード２１０−２へのデータを伝送する。回線２０３ａはノード２１０−３からノード２１０−４へのデータを伝送し、回線２０３ｂはノード２１０−４からノード２１０−３へのデータを伝送する。回線２０４ａはノード２１０−４からノード２１０−１へのデータを伝送し、回線２０４ｂはノード２１０−１からノード２１０−４へのデータを伝送する。
【００６９】
回線２０１ａ，２０２ａ，２０３ａ，２０４ａが現用（Ｗｏｒｋｉｎｇ）であり、回線２０１ｂ，２０２ｂ，２０３ｂ，２０４ｂが予備（Ｐｒｏｔｅｃｔｉｏｎ）である。
【００７０】
ノード２１０−１，２１０−２，２１０−３，２１０−４は、光ネットワークにパケットデータ等の信号を挿入し、また信号を光ネットワークから分離するＡＤＭ装置であり、全て同じ構成である。
【００７１】
ノード２１０−１は、多重分離部（ＭＵＸ／ＤＥＭＵＸ）１０ａ，１０ｂおよびスイッチ部２２０−１を有している。
【００７２】
多重分離部１０ａ，１０ｂは第１の実施形態のものと同じ構成であり、８：１多重および１：８分離を行う。第２の実施形態では、多重分離部１０ａは、回線２０４ａからの信号を８つの信号に分離し、ポート１１ａの８つのチャネルから送信し、また、ポート１２ａの８つチャネルの信号を多重して回線２０４ｂへ送信する。多重分離部１０ｂは、回線２０１ｂからの信号を８つの信号に分離し、ポート１１ｂの８つのチャネルから送信し、また、ポート１２ｂの８つのチャネルの信号を多重して回線２０１ａへ送信する。
【００７３】
また、多重分離部１０ａは、回線２０４ａの光信号の入力断を検出すると、後段でリンク断を検出させるために、ポート１１ａに対する信号の送出を停止する。多重分離部１０ｂは、回線２０１ｂの光信号の入力断を検出すると、ポート１１ｂに対する信号の送出を停止する。
【００７４】
スイッチ部２２０−１は、上位レイヤの通信装置（不図示）と接続されるＡｄｄポート２２およびＤｒｏｐポート２１を有し、また、多重分離部１０ａとポート１１ａ，１２ａで接続され、多重分離部１０ｂとポート１１ｂ，１２ｂで接続されている。
【００７５】
スイッチ部２２０−１は、２４×２４のスイッチによって構成されているので、任意のポートの任意のチャネルの入力信号を任意のポートの任意のチャネルの出力信号として出力することができるが、通常は現用の回線２０４ａ，２０１ａがアクティブなので、ポート１１ａから自身宛の信号を分離してＤｒｏｐポート２１へ出力し、自身宛以外の信号とＡｄｄポート２２からの信号をポート１２ｂへ出力する。また、スイッチ部２２０−１は、ポート１１ｂから入力した自身宛以外の信号とＡｄｄポート２２からの信号をポート１２ａへ出力する。
【００７６】
スイッチ部２２０−１は、現用の回線２０４ａ，２０１ａがアクティブで、ポート１１ａの信号をＤｒｏｐポート２１に出力しているときに、ポート１１ａの信号の入力断を検出すると、ポート１１ｂからの自身宛の信号をＤｒｏｐポート２１に出力するようにスイッチを切り替え、ポート１１ｂからの自身宛以外の信号をポート１２ｂに折り返し、ポート１２ａへの信号の出力を停止する。
【００７７】
スイッチ部２２０−１は、ポート１１ａの信号のリンク断を検出しても同様の切り替え動作を行う。
【００７８】
ここで回線の信号がＧｂｐｓ  Ｅｔｈｅｒｎｅｔであれば、Ｌｉｎｋ  Ｄｏｗｎを発生させるためにポートへの光信号を停止すればよい。ただし、即座にＬｉｎｋ  Ｄｏｗｎを発生させることができれば、光信号の停止でなく、他の方法であってもよい。
【００７９】
ノード２１０−２は、ノード２１０−１と同じ構成であり、多重分離部１０ｃ，１０ｄおよびスイッチ部２２０−２を有している。ノード２１０−４は、多重分離部１０ｇ，１０ｈおよびスイッチ部２２０−４を有している。
【００８０】
図５は、第２の実施形態において対向する多重分離部の動作を説明するための図である。それぞれ異なるノードに含まれている多重分離部１０−１と多重分離部１０−２が対向している。図５に示したように、多重分離部１０−２から多重分離部１０−１への回線に障害が発生すると、多重分離部１０−１がそれを検出する。障害を検出すると、多重分離部１０−１は、ポート１１−１への信号を停止する。ポート１１−１への信号が停止されると、そこに接続されているスイッチ部（不図示）がポート１２−１への信号を停止する。
【００８１】
ポート１２−１の信号が停止されると、その情報が対向するノードの多重分離部１０−２に伝わる。そして、リンク断を検出した多重分離部１０−２がポート１１−２の信号を停止する。ポート１１−２の信号が停止されると、そこに接続されているスイッチ部（不図示）がポート１２−２の信号を停止する。
【００８２】
図６は、第２の実施形態のノードの動作を説明するための図である。
【００８３】
図６を参照すると、光リングネットワークの回線２０４ａに光パワーロス等の障害が発生し、通信が途絶えたとする。回線２０４ａの障害は多重分離部１０ａで検出され、ノード２１０−１はポート１１ａの信号を停止する。
【００８４】
ポート１１ａの信号が停止すると、それを検出したスイッチ部２２０−１はポート１２ａの信号を停止させるとともに、Ｄｒｏｐポート２１への接続をポート１１ａからポート１１ｂへ変更し、また、自身宛以外の信号をポート１１ｂからポート１２ｂへ折り返す。
【００８５】
ポート１２ａの信号の停止は、多重分離部１０ａを介して回線２０１ａによりノード２１０−４に伝達される。多重分離部１０ｈでリンク断が検出されるので、ノード２１０−４は、ノード２１０−１と同様に、信号を停止させ、またスイッチ部２２０−４で折り返しを行う。
【００８６】
このようにして、障害箇所がループから切り離されて新たなループが構成されることにより通信が復旧する。
【００８７】
（第３の実施形態）
本発明の第３の実施形態について図面を参照して詳細に説明する。
【００８８】
図７は、第３の実施形態の光リングネットワークを構成するノードの構成を示すブロック図である。図７では、１つのノードのみが示されているが、ネットワークはこれと同じノードによるリング構成である。
【００８９】
光ネットワークは４波長の光信号が多重されたＷＤＭ（ＷａｖｅｌｅｎｇｔｈＤｉｖｉｓｉｏｎ  Ｍｕｌｔｉｐｌｅｘｉｎｇ）のネットワークである。ノード１０００−１は、光ネットワークの４つの波長のうちの任意の波長にパケットデータ等の信号を挿入し、また信号を分離するＷＤＭのＡＤＭ装置である。
【００９０】
ノード１０００−１は、波長分離部４１ａ，４１ｂ、波長多重部４２ａ，４２ｂ、波長ノード１１０−１Ａ，１１０−１Ｂ，１１０−１Ｃ，１１０−１Ｄおよび波長ノードスイッチ１３０−１を有している。
【００９１】
波長分離部４１ａ，４１ｂは、ノード間の回線に多重された波長の異なる４つの信号を分離して抽出する。波長は、一例として、λＡ＝１５３９．７７ｎｍ、λＢ＝１５４６．１２ｎｍ、λＣ＝１５５２．５２ｎｍおよびλＤ＝１５５８．９８ｎｍである。
【００９２】
波長多重部４２ａ，４２ｂは、波長の異なる４つの信号を１つの回線に多重する。
【００９３】
波長ノード１１０−１Ａ，１１０−１Ｂ，１１０−１Ｃ，１１０−１Ｄは図１のノード１１０−１と同様の構成であり、波長分離部４１ａ，４１ｂで分離された各信号がそれぞれ入力している。波長ノード１１０−１Ａ，１１０−１Ｂ，１１０−１Ｃ，１１０−１Ｄは、各波長について信号の分離および多重を行う。波長ノード１１０−１Ａ，１１０−１Ｂ，１１０−１Ｃ，１１０−１Ｄで多重された信号は波長多重部４２ａ，４２ｂで波長多重される。
【００９４】
波長ノード１１０−１Ａ，１１０−１Ｂ，１１０−１Ｃ，１１０−１Ｄは、図１のノード１１０−１と同様の構成であるが、それぞれ扱う光信号の波長が異なるので、各電気光変換部は発生する光信号の波長が異なる。
【００９５】
波長ノードスイッチ１３０−１は、スイッチ部１２０−１Ａ，１２０−１Ｂ，１２０−１Ｃ，１２０−１ＤのＡｄｄポートおよびＤｒｏｐポートに接続されており、また、上位レイヤの通信装置（不図示）と接続されるＡｄｄポート１３２およびＤｒｏｐポート１３１を有している。波長ノードスイッチ１３０−１はスイッチ部１２０−１Ａ〜１２０−１Ｄの任意のチャネルの入力を任意のチャネルに出力することができる。
【００９６】
波長ノードスイッチ１３０−１とスイッチ部１２０−１Ａ，１２０−１Ｂ，１２０−１Ｃ，１２０−１Ｄの組み合わせによって、上位レイヤの装置からの信号を任意の波長の任意のチャネルに多重し、任意の波長の任意のチャネルからの信号を分離して上位レイヤの通信装置に送信することができる。また、同様にして、各波長間のチャネル入れ替えが可能である。
【００９７】
図８は、ノード間の回線に障害が発生したときの第３の実施形態のノードの動作を説明するための図である。
【００９８】
図８に示すように、光リングネットワークの回線２０４ａに光パワーロス等の障害が発生し、全ての波長の通信が途絶えたとする。回線２０４ａの障害は、ノード１０００−１の全ての波長ノード１１０−１Ａ，１１０−１Ｂ，１１０−１Ｃ，１１０−１Ｄの多重分離部１０ａで検出され、ノード１１０−１Ａ，１１０−１Ｂ，１１０−１Ｃ，１１０−１Ｄはそれぞれ自身のポート１１ａの信号を停止する。
【００９９】
ポート１１ａの信号が停止すると、それを検出したスイッチ部１２０−１はポート１２ａの信号を停止させるとともに、Ｄｒｏｐポート２１への接続をポート１１ａからポート１１ｂへ変更する。全ての波長ノード１１０−１Ａ，１１０−１Ｂ，１１０−１Ｃ，１１０−１Ｄがポートを変更することにより、ノード１０００−１の認識として、現用の回線２０４ａ，２０１ａがアクティブの状態から、予備の回線２０４ｂ，２０１ｂがアクティブの状態になる。
【０１００】
各波長ノードのポート１２ａの信号の停止は、それぞれの多重分離部１０ａを介して回線２０１ａにより隣接するノードの各波長ノードに伝達され、隣接するノードから順に全てのノードで切り替えが起こり、最終的には全ての予備の回線がアクティブな状態となって通信が復旧する。
【０１０１】
図９は、１つの波長の回線に障害が発生したときの第３の実施形態のノードの動作を説明するための図である。
【０１０２】
図９に示すように、波長分離部４１ａで分離された波長λＡ＝１５３９．７７ｎｍの回線に障害が発生し、そこに多重されていた信号の通信が途絶えたとする。障害は波長ノード１１０−１Ａの多重分離部１０ａで検出され、波長ノード１１０−１Ａはポート１１ａの信号を停止する。
【０１０３】
ポート１１ａの信号が停止すると、それを検出したスイッチ部１２０−１Ａはポート１２ａの信号を停止させるとともに、Ｄｒｏｐポート２１への接続をポート１１ａからポート１１ｂへ変更する。波長ノード１１０−１Ａがポートを変更することにより、波長λＡ＝１５３９．７７ｎｍについて、ノード０００−１の認識として、現用の回線２０４ａ，２０１ａがアクティブの状態から、予備の回線が２０４ｂ，２０１ａがアクティブの状態となる。
【０１０４】
波長ノード１１０−１Ａのポート１２ａの信号の停止は、多重分離部１０ａＡを介して回線２０１ａにより隣接するノードの同じ波長の波長ノードに伝達され、隣接するノードから順に全てのノードで切り替えが起こり、最終的にはその波長の全ての予備の回線がアクティブな状態となって通信が復旧する。このように、１つの波長のみで障害が発生したときには、その波長について第１の実施形態と同様の動作により、その波長についてだけ予備の回線がアクティブな状態となる。
【０１０５】
（第４の実施形態）
本発明の第４の実施形態について図面を参照して詳細に説明する。
【０１０６】
図１０は、第４の実施形態の光リングネットワークを構成するノードの構成を示すブロック図である。図１０では、１つのノードのみが示されているが、ネットワークはこれと同じノードによるリング構成である。
【０１０７】
光ネットワークは４つの波長の信号が多重されたＷＤＭのネットワークである。
ノード２０００−１は、光ネットワークの４つの波長の信号のうち任意の波長の信号にパケットデータ等の信号を挿入し、また信号を分離するＷＤＭのＡＤＭ装置である。
【０１０８】
ノード２０００−１は、波長分離部４１ａ，４１ｂ、波長多重部４２ａ，４２ｂ、波長ノード２１０−１Ａ，２１０−１Ｂ，２１０−１Ｃ，２１０−１Ｄおよび波長ノードスイッチ２３０−１を有している。
【０１０９】
波長分離部部４１ａ，４１ｂは第３の実施形態のものと同じであり、ノード間の回線に多重された４つの波長の信号を分離して抽出する。波長は、一例として、λＡ＝１５３９．７７ｎｍ、λＢ＝１５４６．１２ｎｍ、λＣ＝１５５２．５２ｎｍおよびλＤ＝１５５８．９８ｎｍである。
【０１１０】
波長多重部４２ａ，４２ｂは第３の実施形態のものと同じであり、波長の異なる４つの信号を１つの回線に多重する。
【０１１１】
波長ノード２１０−１Ａ，２１０−１Ｂ，２１０−１Ｃ，２１０−１Ｄは図４のノード２１０−１と同様の構成であり、波長分離部４１ａ，４１ｂで分離された信号がそれぞれ入力している。波長ノード２１０−１Ａ，２１０−１Ｂ，２１０−１Ｃ，２１０−１Ｄは、各波長について信号の分離および多重を行う。波長ノード２１０−１Ａ，２１０−１Ｂ，２１０−１Ｃ，２１０−１Ｄで多重された信号は波長多重部４２ａ，４２ｂで波長多重される。
【０１１２】
波長ノード２１０−１Ａ，２１０−１Ｂ，２１０−１Ｃ，２１０−１Ｄは、図４のノード２１０−１と同様の構成であるが、それぞれ扱う光信号の波長が異なるので、各電気光変換部は発生する光信号の波長が異なる。
【０１１３】
図１１は、ノード間の回線に障害が発生したときの第４の実施形態のノードの動作を説明するための図である。
【０１１４】
図１１に示すように、光リングネットワークの回線２０４ａに光パワーロス等の障害が発生し、全ての波長の通信が途絶えたとする。回線２０４ａの障害はノード２０００−１の全ての波長ノード２１０−１Ａ，２１０−１Ｂ，２１０−１Ｃ，２１０−１Ｄの多重分離部１０ａで検出され、ノード２１０−１Ａ，２１０−１Ｂ，２１０−１Ｃ，２１０−１Ｄはポート１１ａの信号を停止する。
【０１１５】
ポート１１ａの信号が停止すると、それを検出したスイッチ部２２０−１はポート１２ａの信号を停止させるとともに、Ｄｒｏｐポート２１への接続をポート１１ａからポート１１ｂへ変更し、また、自身宛以外の信号をポート１１ｂからポート１２ｂへ折り返す。
【０１１６】
各波長ノードのポート１２ａの信号の停止は、それぞれの多重分離部１０ａを介して回線２０１ａによりノード２０００−４の各波長ノードに伝達される。ノード２０００−４は、ノード２０００−１と同様に、信号を停止させ、またスイッチ部で折り返しを行う。
【０１１７】
このようにして、障害箇所が全ての波長についてループから切り離されて新たなループが構成されることにより通信が復旧する。
【０１１８】
図１２は、１つの波長の回線に障害が発生したときの第４の実施形態のノードの動作を説明するための図である。
【０１１９】
図１２に示すように、光リングネットワークの回線２０４ａが波長分離部４１ａで分離された波長λＡ＝１５３９．７７ｎｍの回線に障害が発生し、そこに多重されていた信号の通信が途絶えたとする。障害はノード２０００−１の波長ノード２１０−１Ａの多重分離部１０ａで検出され、波長ノード２１０−１Ａはポート１１ａの信号を停止する。
【０１２０】
ポート１１ａの信号が停止すると、それを検出したスイッチ部２２０−１Ａはポート１２ａの信号を停止させるとともに、Ｄｒｏｐポート２１への接続をポート１１ａからポート１１ｂへ変更し、また、自身宛以外の信号をポート１１ｂからポート１２ｂへ折り返す。
【０１２１】
ポート１２ａの信号の停止は、多重分離部１０ａＡを介して回線２０１ａによりノード２０００−４の同じ波長の波長ノードに伝達され、ノード２０００−４は、ノード２０００−１と同様に、信号を停止させ、またスイッチ部で折り返しを行う。
【０１２２】
このように、１つの波長のみで障害が発生したときには、その波長について第２の実施形態と同様の動作により、その波長についてだけ障害箇所がループから切り離されて新たなループが構成されることにより通信が復旧する。
【０１２３】
【発明の効果】
本発明の通信ネットワークによれば、伝送路の障害を検出したノードが自身の内部の経路変更を行うとともに、他のノードに対する信号の送信を停止して他のノードに経路変更をさせるので、ノード間に経路を制御する複雑な手順を設ける必要が無く、低コストで、高速に経路切り替え可能な、信頼性の高い通信ネットワークを実現することができる。
【０１２４】
また、伝送路の特定波長の障害を検出したノードが、その波長について自身の内部の経路切り替えを行うとともに、他のノードに対する信号の送信を停止して経路変更をさせるので、ノード間に全波長の経路を制御する複雑な手順を設ける必要が無く、低コストで、高速に経路切り替え可能な、信頼性の高い、伝送容量の大きな通信ネットワークを実現することができる。
【０１２５】
また、本発明の通信装置によれば、現用伝送路の障害が検出されると、障害を検出した現用多重分離部でその伝送路にて伝送されている信号を停止して、スイッチ部に経路を変更させ、また、スイッチ部で現用伝送路に送信する信号を停止して、他の通信装置に経路変更をさせるので、各部がそれぞれ単純な動作をすることにより、高速に経路を切り替えることができ、装置全体から収集した障害情報に基づいて経路を制御する複雑な手段を持つ必要がなく、低コストである。
【０１２６】
また、現用伝送路の障害が検出されると、障害を検出した現用多重分離部でその伝送路にて伝送されている信号を停止して、スイッチ部に経路を変更させ、また、スイッチ部で予備伝送路に送信する信号を停止して、他の通信装置に経路変更をさせるので、各部がそれぞれ単純な動作をすることにより、高速に経路を切り替えることができ、装置全体から集した障害情報に基づいて経路を制御する複雑な手段を持つ必要がなく、低コストである。
【図面の簡単な説明】
【図１】第１の実施形態の光リングネットワークの構成を示すブロック図である。
【図２】多重分離部の構成を示すブロック図である。
【図３】第１の実施形態のノードの動作を説明するための図である。
【図４】第２の実施形態の光リングネットワークの構成を示すブロック図である。
【図５】第２の実施形態において対向する多重分離部の動作を説明するための図である。
【図６】第２の実施形態のノードの動作を説明するための図である。
【図７】第３の実施形態の光リングネットワークを構成するノードの構成を示すブロック図である。
【図８】ノード間の回線に障害が発生したときの第３の実施形態のノードの動作を説明するための図である。
【図９】１つの波長の回線に障害が発生したときの第３の実施形態のノードの動作を説明するための図である。
【図１０】第４の実施形態の光リングネットワークを構成するノードの構成を示すブロック図である。
【図１１】ノード間の回線に障害が発生したときの第４の実施形態のノードの動作を説明するための図である。
【図１２】１つの波長の回線に障害が発生したときの第４の実施形態のノードの動作を説明するための図である。
【符号の説明】
１０，１０−１，１０−２，１０ａ，１０ａＡ，１０ｂＡ，１０ｂ，１０ｃ，１０ｄ，１０ｇ，１０ｈ    多重分離部（ＭＵＸ／ＤＥＭＵＸ）
１１，１１−１，１１−２，１１ａ，１１ｂ，１２，１２−１，１２−２，１２ａ，１２ｂ    ポート
１３    終端部
１４    多重部
１５    電気光変換部（ＥＯ）
１６    電気光変換部（ＯＥ）
１７    分離部
２１，１３１，２３１    Ｄｒｏｐポート
２２，１３２，２３２    Ａｄｄポート
４１ａ，４１ｂ    波長分離部
４２ａ，４２ｂ    波長多重部
１１０−１，１１０−２，１１０−３，１１０−４，２１０−１，２１０−２，２１０−３，２１０−４，１０００−１，２０００−１〜２０００−４    ノード
１１０−１Ａ〜１１０−１Ｄ，２１０−１Ａ〜２１０−１Ｄ    波長ノード
１２０−１，１２０−１Ａ〜１２０−１Ｄ，１２０−２，２２０−１，２２０−１Ａ〜２２０−１Ｄ，２２０−２，２２０−３，２２０−４    スイッチ部
１３０−１，２３０−１    波長ノードスイッチ
２０１ａ，２０１ｂ，２０２ａ，２０２ｂ，２０３ａ，２０３ｂ，２０４ａ，２０４ｂ    回線
【図１】
0003656743.tif 000002
【図２】
0003656743.tif 000003
【図３】
0003656743.tif 000004
【図４】
0003656743.tif 000005
【図５】
0003656743.tif 000006
【図６】
0003656743.tif 000007
【図７】
0003656743.tif 000008
【図８】
0003656743.tif 000009
【図９】
0003656743.tif 000010
【図１０】
0003656743.tif 000011
【図１１】
0003656743.tif 000012
【図１２】
0003656743.tif 000013